(57)【要約】      （修正有）【課題】小型で良好な光学性能を有しながら４倍を超える高変倍比を実現した実像式変倍ファインダー及び撮像装置を提供する。【解決手段】対物光学系は正の屈折力を有する第１レンズ群Ｇ１、負の屈折力を有す第２レンズ群Ｇ２、正の屈折力を有す第３レンズ群Ｇ３及び正の屈折力を有す第４レンズ群Ｇ４から成り、第２レンズ群と第３レンズ群を光軸上で移動させて変倍及び変倍に伴う視度変化を補正する実像式変倍ファインダーにおいて、Ｚ２＝β２ｔ／β２ｗ、Ｚ３＝β３ｔ／β３ｗとして、以下の条件式（１）、（２）を満足する。  （１）Ｚ２・Ｚ３＞４．０  （２）０．６０＜｜ｆ２｜／ｆｗ＜１．００但し、β２ｗ：第２レンズ群の広角端での横倍率β２ｔ：第２レンズ群の望遠端での横倍率β３ｗ：第３レンズ群の広角端での横倍率β３ｔ：第３レンズ群の望遠端での横倍率ｆ２：第２レンズ群の焦点距離ｆｗ：対物光学系の広角端での焦点距離とする。【選択図】図１
2005164993.tif 000002
【特許請求の範囲】
【請求項１】
物体側から順に、正の屈折力を有する対物光学系と、前記対物光学系で結像される倒立像を正立像にするための反転光学系と、前記正立像を観察するための正の屈折力を有する接眼光学系から構成され、前記対物光学系は正の屈折力を有する第１レンズ群、負の屈折力を有する第２レンズ群、正の屈折力を有する第３レンズ群及び正の屈折力を有する第４レンズ群から成り、第２レンズ群と第３レンズ群を光軸上で移動させて変倍及び変倍に伴う視度変化を補正する実像式変倍ファインダーにおいて、Ｚ２＝β２ｔ／β２ｗ、Ｚ３＝β３ｔ／β３ｗとして、以下の条件式（１）、（２）を満足することを特徴とする実像式変倍ファインダー。
（１）Ｚ２・Ｚ３＞４．０
（２）０．６０＜｜ｆ２｜／ｆｗ＜１．００
但し、
β２ｗ：第２レンズ群の広角端での横倍率
β２ｔ：第２レンズ群の望遠端での横倍率
β３ｗ：第３レンズ群の広角端での横倍率
β３ｔ：第３レンズ群の望遠端での横倍率
ｆ２：第２レンズ群の焦点距離
ｆｗ：対物光学系の広角端での焦点距離
とする。
【請求項２】
上記第３レンズ群が以下の条件式（３）を満足することを特徴とする請求項１に記載の実像式変倍ファインダー。
（３）０．７５＜１／Ｚ３＜０．９０
【請求項３】
上記第２レンズ群が１枚のプラスチックレンズから構成される
ことを特徴とする請求項１に記載の実像式変倍ファインダー。
【請求項４】
上記第２レンズ群を構成する１枚のプラスチックレンズの物体側及び観察者側の両面が非球面で構成される
ことを特徴とする請求項３に記載の実像式変倍ファインダー。
【請求項５】
上記第２レンズ群が１枚のプラスチックレンズから構成される
ことを特徴とする請求項２に記載の実像式変倍ファインダー。
【請求項６】
上記第２レンズ群を構成する１枚のプラスチックレンズの物体側及び観察者側の両面が非球面で構成される
ことを特徴とする請求項５に記載の実像式変倍ファインダー。
【請求項７】
上記第１レンズ群乃至第４レンズ群の４つのレンズ群がそれぞれ１枚のプラスチックレンズから構成される
ことを特徴とする請求項１に記載の実像式変倍ファインダー。
【請求項８】
上記プラスチックレンズの各面のうちの少なくとも２面以上が非球面で構成される
ことを特徴とする請求項７に記載の実像式変倍ファインダー。
【請求項９】
上記第１レンズ群乃至第４レンズ群の４つのレンズ群がそれぞれ１枚のプラスチックレンズから構成される
ことを特徴とする請求項２に記載の実像式変倍ファインダー。
【請求項１０】
上記プラスチックレンズの各面のうちの少なくとも２面以上が非球面で構成される
ことを特徴とする請求項９に記載の実像式変倍ファインダー。
【請求項１１】
可変焦点距離レンズと、該可変焦点距離レンズによって捉えた被写体像を記録する記録手段と、上記可変焦点距離レンズの焦点距離の変更に伴って変化する画角に応じて視野角が変化される実像式変倍ファインダーを備えた撮像装置であって、
上記実像式変倍ファインダーは、物体側から順に、正の屈折力を有する対物光学系と、前記対物光学系で結像される倒立像を正立像にするための反転光学系と、前記正立像を観察するための正の屈折力を有する接眼光学系から構成され、前記対物光学系は正の屈折力を有する第１レンズ群、負の屈折力を有する第２レンズ群、正の屈折力を有する第３レンズ群及び正の屈折力を有する第４レンズ群から成り、第２レンズ群と第３レンズ群を光軸上で移動させて変倍及び変倍に伴う視度変化を補正すると共に、Ｚ２＝β２ｔ／β２ｗ、Ｚ３＝β３ｔ／β３ｗとして、以下の条件式（１）、（２）を満足することを特徴とする撮像装置。
（１）Ｚ２・Ｚ３＞４．０
（２）０．６０＜｜ｆ２｜／ｆｗ＜１．００
但し、
β２ｗ：第２レンズ群の広角端での横倍率
β２ｔ：第２レンズ群の望遠端での横倍率
β３ｗ：第３レンズ群の広角端での横倍率
β３ｔ：第３レンズ群の望遠端での横倍率
ｆ２：第２レンズ群の焦点距離
ｆｗ：対物光学系の広角端での焦点距離
とする。
【請求項１２】
上記第３レンズ群が以下の条件式（３）を満足することを特徴とする請求項１１に記載の撮像装置。
（３）０．７５＜１／Ｚ３＜０．９０
【請求項１３】
上記第２レンズ群が１枚のプラスチックレンズから構成される
ことを特徴とする請求項１１に記載の撮像装置。
【請求項１４】
上記第２レンズ群を構成する１枚のプラスチックレンズの物体側及び観察者側の両面が非球面で構成される
ことを特徴とする請求項１３に記載の撮像装置。
【請求項１５】
上記第２レンズ群が１枚のプラスチックレンズから構成される
ことを特徴とする請求項１２に記載の撮像装置。
【請求項１６】
上記第２レンズ群を構成する１枚のプラスチックレンズの物体側及び観察者側の両面が非球面で構成される
ことを特徴とする請求項１５に記載の撮像装置。
【請求項１７】
上記第１レンズ群乃至第４レンズ群の４つのレンズ群がそれぞれ１枚のプラスチックレンズから構成される
ことを特徴とする請求項１１に記載の撮像装置。
【請求項１８】
上記プラスチックレンズの各面のうちの少なくとも２面以上が非球面で構成される
ことを特徴とする請求項１７に記載の撮像装置。
【請求項１９】
上記第１レンズ群乃至第４レンズ群の４つのレンズ群がそれぞれ１枚のプラスチックレンズから構成される
ことを特徴とする請求項１２に記載の撮像装置。
【請求項２０】
上記プラスチックレンズの各面のうちの少なくとも２面以上が非球面で構成される
ことを特徴とする請求項１９に記載の撮像装置。
【発明の詳細な説明】
【技術分野】
【０００１】
本発明は新規な実像式変倍ファインダー及び撮像装置に関するものである。詳しくは、デジタルスチルカメラ等に搭載するのに適した小型で良好な光学性能を有する高変倍の実像式変倍ファインダー及びそのような実像式変倍ファインダーを備えた撮像装置に関するものである。
【背景技術】
【０００２】
従来、撮影系とファインダー系とが別体に構成されるカメラにおいて撮影系が変倍機能を有する場合、撮影画角の変動に対応した変倍機能をファインダー系にも備えるようにしている。このようなファインダー系として、視野枠の見えが良い実像式変倍ファインダーが種々提案されている。
【０００３】
実像式の変倍ファインダーとして、特許文献１や特許文献２に記載されたものが知られている。これらは、対物光学系が正の屈折力を有する第１レンズ群、負の屈折力を有する第２レンズ群、正の屈折力を有する第３レンズ群、及び正の屈折力を有する第４レンズ群から構成され、２〜４倍程度の変倍比を達成している。
【０００４】
【特許文献１】特開平２−１７３７１３号公報
【０００５】
【特許文献２】特開平６−１０２４５４号公報
【発明の開示】
【発明が解決しようとする課題】
【０００６】
近年、デジタルスチルカメラの分野ではズーム比が４倍を超える高変倍化のものに対する要求が高まっており、ファインダー系としてもコンパクト化を維持しつつ高変倍の対物光学系に対応していくことが求められている。しかし、上記した特許文献１や特許文献２に記載されたファインダー系では変倍比が小さくこうした要求に応えられていない。
【０００７】
一方、変倍比を上げるためには変倍に寄与するレンズ群の屈折力を強くする必要があるが、小型化を維持しながら各レンズ群で発生する諸収差を良好に補正することは非常に困難である。
【０００８】
本発明はこのような状況に鑑みてなされたものであり、小型で良好な光学性能を有しながら４倍を超える高変倍比を実現した実像式変倍ファインダー及び撮像装置を提供することを課題とする。
【課題を解決するための手段】
【０００９】
本発明実像式変倍ファインダーは、上記した課題を解決するために、物体側から順に、正の屈折力を有する対物光学系と、前記対物光学系で結像される倒立像を正立像にするための反転光学系と、前記正立像を観察するための正の屈折力を有する接眼光学系から構成され、前記対物光学系は正の屈折力を有する第１レンズ群、負の屈折力を有する第２レンズ群、正の屈折力を有する第３レンズ群及び正の屈折力を有する第４レンズ群から成り、第２レンズ群と第３レンズ群を光軸上で移動させて変倍及び変倍に伴う視度変化を補正する実像式変倍ファインダーにおいて、Ｚ２＝β２ｔ／β２ｗ、Ｚ３＝β３ｔ／β３ｗとして、また、β２ｗを第２レンズ群の広角端での横倍率、β２ｔを第２レンズ群の望遠端での横倍率、β３ｗを第３レンズ群の広角端での横倍率、β３ｔを第３レンズ群の望遠端での横倍率、ｆ２を第２レンズ群の焦点距離、ｆｗを対物光学系の広角端での焦点距離として、以下の条件式（１）Ｚ２・Ｚ３＞４．０、（２）０．６０＜｜ｆ２｜／ｆｗ＜１．００を満足するものである。
【００１０】
従って、本発明実像式変倍ファインダーにあっては、４倍を越える高変倍比を有し、且つ、良好な光学性能を有する。
【００１１】
また、本発明撮像装置は、上記した課題を解決するために、可変焦点距離レンズと、該可変焦点距離レンズによって捉えた被写体像を記録する記録手段と、上記可変焦点距離レンズの焦点距離の変更に伴って変化する画角に応じて視野角が変化される実像式変倍ファインダーを備えた撮像装置であって、  上記実像式変倍ファインダーは、物体側から順に、正の屈折力を有する対物光学系と、前記対物光学系で結像される倒立像を正立像にするための反転光学系と、前記正立像を観察するための正の屈折力を有する接眼光学系から構成され、前記対物光学系は正の屈折力を有する第１レンズ群、負の屈折力を有する第２レンズ群、正の屈折力を有する第３レンズ群及び正の屈折力を有する第４レンズ群から成り、第２レンズ群と第３レンズ群を光軸上で移動させて変倍及び変倍に伴う視度変化を補正すると共に、Ｚ２＝β２ｔ／β２ｗ、Ｚ３＝β３ｔ／β３ｗとして、また、β２ｗを第２レンズ群の広角端での横倍率、β２ｔを第２レンズ群の望遠端での横倍率、β３ｗを第３レンズ群の広角端での横倍率、β３ｔを第３レンズ群の望遠端での横倍率、ｆ２を第２レンズ群の焦点距離、ｆｗを対物光学系の広角端での焦点距離として、以下の条件式（１）Ｚ２・Ｚ３＞４．０、（２）０．６０＜｜ｆ２｜／ｆｗ＜１．００を満足するものである。
【００１２】
従って、本発明撮像装置にあっては、４倍を越える高変倍比を有し、且つ、良好な光学性能を有する実像式変倍ファインダーを備えることが可能になる。
【発明の効果】
【００１３】
本発明実像式変倍ファインダーは、物体側から順に、正の屈折力を有する対物光学系と、前記対物光学系で結像される倒立像を正立像にするための反転光学系と、前記正立像を観察するための正の屈折力を有する接眼光学系から構成され、前記対物光学系は正の屈折力を有する第１レンズ群、負の屈折力を有する第２レンズ群、正の屈折力を有する第３レンズ群及び正の屈折力を有する第４レンズ群から成り、第２レンズ群と第３レンズ群を光軸上で移動させて変倍及び変倍に伴う視度変化を補正する実像式変倍ファインダーにおいて、Ｚ２＝β２ｔ／β２ｗ、Ｚ３＝β３ｔ／β３ｗとして、以下の条件式（１）、（２）を満足することを特徴とする実像式変倍ファインダー。
【００１４】
（１）Ｚ２・Ｚ３＞４．０
（２）０．６０＜｜ｆ２｜／ｆｗ＜１．００
但し、
β２ｗ：第２レンズ群の広角端での横倍率
β２ｔ：第２レンズ群の望遠端での横倍率
β３ｗ：第３レンズ群の広角端での横倍率
β３ｔ：第３レンズ群の望遠端での横倍率
ｆ２：第２レンズ群の焦点距離
ｆｗ：対物光学系の広角端での焦点距離
とする。
【００１５】
また、本発明撮像装置は、可変焦点距離レンズと、該可変焦点距離レンズによって捉えた被写体像を記録する記録手段と、上記可変焦点距離レンズの焦点距離の変更に伴って変化する画角に応じて視野角が変化される実像式変倍ファインダーを備えた撮像装置であって、上記実像式変倍ファインダーは、物体側から順に、正の屈折力を有する対物光学系と、前記対物光学系で結像される倒立像を正立像にするための反転光学系と、前記正立像を観察するための正の屈折力を有する接眼光学系から構成され、前記対物光学系は正の屈折力を有する第１レンズ群、負の屈折力を有する第２レンズ群、正の屈折力を有する第３レンズ群及び正の屈折力を有する第４レンズ群から成り、第２レンズ群と第３レンズ群を光軸上で移動させて変倍及び変倍に伴う視度変化を補正すると共に、Ｚ２＝β２ｔ／β２ｗ、Ｚ３＝β３ｔ／β３ｗとして、以下の条件式（１）、（２）を満足することを特徴とする撮像装置。
【００１６】
（１）Ｚ２・Ｚ３＞４．０
（２）０．６０＜｜ｆ２｜／ｆｗ＜１．００
但し、
β２ｗ：第２レンズ群の広角端での横倍率
β２ｔ：第２レンズ群の望遠端での横倍率
β３ｗ：第３レンズ群の広角端での横倍率
β３ｔ：第３レンズ群の望遠端での横倍率
ｆ２：第２レンズ群の焦点距離
ｆｗ：対物光学系の広角端での焦点距離
とする。
【００１７】
従って、本発明実像式変倍ファインダー及び撮像装置にあっては、４倍以上の変倍比を有すると共に、小型で、且つ、光学性が良好な実像式変倍ファインダーを実現することができる。そのため、４倍以上の変倍比を有する可変焦点距離レンズを備えた撮像装置を小型に構成することが可能になる。
【００１８】
請求項２及び請求項１２に記載した発明にあっては、上記第３レンズ群が条件式（３）０．７５＜１／Ｚ３＜０．９０を満足するので、ファインダーの小型化を実現しながら、各種収差を良好に補正することができる。
【００１９】
請求項３及び５並びに請求項１３及び１５に記載された発明にあっては、上記第２レンズ群が１枚のプラスチックレンズから構成されるので、ファインダーの光軸方向の一層の小型化を実現することができると共に、安価に構成することができる。
【００２０】
請求項４及び６並びに請求項１４及び１６に記載した発明にあっては、上記第２レンズ群を構成する１枚のプラスチックレンズの物体側及び観察者側の両面が非球面で構成されるので、非球面の形成が容易であると共に、これら非球面の形状を選ぶことによって、ファインダーの高変倍比を実現しながら各種収差を良好に補正することができる。
【００２１】
請求項７及び９並びに請求項１７及び１９に記載した発明にあっては、上記第１レンズ群乃至第４レンズ群の４つのレンズ群がそれぞれ１枚のプラスチックレンズから構成されるので、ファインダーの光軸方向のさらに一層の小型化を実現することができると共に、さらに安価に構成することができる。
【００２２】
請求項８及び１０並びに請求項１８及び２０に記載した発明にあっては、上記プラスチックレンズの各面のうちの少なくとも２面以上が非球面で構成されるので、非球面の形成が容易であると共に、これら非球面の形状を選ぶことによって、ファインダーの高変倍比を実現しながら各種収差を良好に補正することができる。
【発明を実施するための最良の形態】
【００２３】
以下に、本発明実像式変倍ファインダー及び撮像装置を実施するための最良の形態について添付図面を参照して説明する。  
【００２４】
図１乃至図４は本発明実像式変倍ファインダーの第１の実施の形態（数値実施例１）を、図５乃至図８は本発明実像式変倍ファインダーの第２の実施の形態（数値実施例２）を、図９乃至図１２は本発明実像式変倍ファインダーの第３の実施の形態（数値実施例３）を、図１３乃至図１６は本発明実像式変倍ファインダーの第４の実施の形態（数値実施例４）、図１７乃至図２０は本発明実像式変倍ファインダーの第５の実施の形態（数値実施例５）を、それぞれ示すものである。
【００２５】
図１、図５、図９、図１３及び図１７に示すように、本発明実像式変倍ファインダーの各実施の形態は、物体側から順に、正の屈折力を有する対物光学系Ｇｏと、前記対物光学系で結像される倒立像を正立像にするための反転光学系Ｇｒと、前記正立像を観察するための正の屈折力を有する接眼光学系Ｇｅから構成されている。なお、図１、図５、図９、図１３及び図１７において、上段には広角端状態を、中段には中間焦点状態を、下段には望遠端状態を、それぞれ示している。
【００２６】
上記各実施の形態において、対物光学系Ｇｏは、１枚の凸レンズから成る正の屈折力を有する第１レンズ群Ｇ１と、１枚の凹レンズから成る負の屈折力を有する第２レンズ群Ｇ２と、１枚の凸レンズから成る正の屈折力を有する第３レンズ群Ｇ３と、１枚の凸レンズから成る正の屈折力を有する第４レンズ群Ｇ４から構成され、第２レンズ群Ｇ２と第３レンズ群Ｇ３を光軸上で移動させて変倍及びそれに伴う視度変化の補正を行っている。なお、第１レンズ群Ｇ１と第４レンズ群Ｇ４は変倍に際して固定である。
【００２７】
そして、対物光学系Ｇｏの第２レンズ群Ｇ２を、Ｚ２＝β２ｔ／β２ｗ、Ｚ３＝β３ｔ／β３ｗとして、以下の条件式（１）及び（２）を満足するように設定することで、小型で良好な光学性能を有しながらも４倍を超える高倍率の実像式変倍ファインダーを実現している。
【００２８】
（１）Ｚ２・Ｚ３＞４．０
（２）０．６０＜｜ｆ２｜／ｆｗ＜１．００
但し、
β２ｗ：第２レンズ群の広角端での横倍率
β２ｔ：第２レンズ群の望遠端での横倍率
β３ｗ：第３レンズ群の広角端での横倍率
β３ｔ：第３レンズ群の望遠端での横倍率
ｆ２：第２レンズ群の焦点距離
ｆｗ：対物光学系の広角端での焦点距離
とする。
【００２９】
上記条件式（１）は変倍に作用する第２レンズ群Ｇ２と第３レンズ群Ｇ３の広角端と望遠端での横倍率の合成比を設定するものであり、この条件式（１）を満たすことで４倍を超える高変倍の実像式変倍ファインダーを提供することが可能となる。
【００３０】
条件式（２）は対物光学系Ｇｏの広角端での焦点距離に対する第２レンズ群Ｇ２の焦点距離の比を設定するものであり、第２レンズ群Ｇ２の屈折力を制限している。条件式（２）の上限を外れると、変倍を担う第２レンズ群Ｇ２の屈折力が小さくなってしまう。収差補正の上では有利に働くが、４倍を超える変倍比を得るためには第２レンズ群Ｇ２の移動量を大きくしなければならず、全長が長くなってしまう。一方、条件式（２）の下限を外れると、変倍を担う第２レンズ群Ｇ２の屈折力が大きくなるため、軸外収差の補正、特にコマ収差と像面湾曲の補正が困難となる。また、広角端での負の歪曲収差を抑えることが困難となる。
【００３１】
また、以下の条件式（３）を満足することが望ましい。
【００３２】
（３）０．７５＜１／Ｚ３＜０．９０
条件式（３）は第３レンズ群Ｇ３の広角端と望遠端での横倍率の比を設定するものであり、増倍作用の分担比を制限している。条件式（３）の上限を外れると軸外収差の補正、特にコマ収差と像面湾曲を補正することが困難となる。また、この条件式（３）の下限を外れると、全長が長くなり小型化を図ることができない。
【００３３】
また、前記第２レンズ群Ｇ２を１枚のプラスチックレンズで構成することにより、全長を短縮し小型化を図ることができることに加え、部品点数を削減することができるためコストの面でも有利である。さらに、プラスチックレンズで形成することにより、物体側及び観察者側の両面を非球面で構成することが容易になり、これにより、各種収差の補正が容易になる。
【００３４】
さらに、第１レンズ群Ｇ１から第４レンズ群Ｇ４までの全てのレンズ群を各１枚のプラスチックレンズで構成することにより、更なる小型化と、低コスト化を実現することができると共に、所望の２以上の面を非球面で構成することが容易になり、これにより、各種収差の補正がさらに容易になる。
【００３５】
図２１に本発明に係る実像式変倍ファインダーの具体的適用例の一例１０を示す。このファインダー１０は平面形状で見てほぼＬ字状をした筐体２０内に、対物光学系Ｇｏ、反転光学系Ｇｒ及び接眼光学系Ｇｅが配置されて成り、上記筐体２０の前側の開口２１から対物光学系Ｇｏの１枚のプラスチックレンズから成る第１レンズ群Ｇ１が前方に向かって臨んでいる。また、筐体２０の後側の開口２２から１枚のレンズから成る接眼光学系Ｇｅが後方に向かって臨んでいる。そして、対物光学系Ｇｏと接眼光学系Ｇｅとの間にダハプリズム構成を成す２個のプリズムＰ１、Ｐ２から成る反転光学系Ｇｒが位置して、対物光学系Ｇｏの第１レンズ群Ｇ１から接眼光学系Ｇｅに至るクランク状の光路が形成され、これによって、光軸方向における更なる小型化を図るようになっている。そして、上記２個のプリズムＰ１とＰ２との間の中間結像面には視野枠ＦＩが位置され、これによってファインダー１０の視野の範囲が限定されるようになっている。なお、本発明に係るファインダーの具体的な構造は図２１に示したものに限られるものでないことは勿論である。
【００３６】
例えば、図２１に示すような実像式変倍ファインダー１０を可変焦点距離レンズと該可変焦点距離レンズによって捉えた被写体像を記録する記録手段を備えた撮像装置に搭載することによって、可変焦点距離レンズの変倍比を４倍以上とすることが可能となる。なお、上記した記録手段は、例えば、固体撮像素子に生じる電気的出力を電気的記録媒体に記録する電気的記録手段であっても、或いは、例えば、銀塩フィルム上の化学的変化として記録する科学的記録手段であっても良い。
【００３７】
次に、本発明実像式変倍ファインダーの各実施の形態における各数値実施例を示す。各数値実施例において使用する記号の意味は次に示すとおりである。なお、図１、図５、図９、図１３及び図１７において、ＦＩは反転光学系Ｇｒの中間に位置する中間結像面に介挿された視野枠を示し、これによって視野の範囲を限定するようになっている。また、Ｅｐはアイポイントを示す。
【００３８】
２ω：対角の全画角
Ｓｉ：物体側から数えてｉ番目の面
Ｒｉ：上記面Ｓｉの曲率半径
ｄｉ：物体側からｉ番目の面と（ｉ＋１）番目の面との間の面間隔
ｎｉ：第ｉレンズのｄ線（波長５８７．６ｎｍ）における屈折率
νｉ：第ｉレンズのアッベ数
＊：非球面を使用した面
なお、各数値実施例において、幾つかの面を非球面によって構成している。ここで、非球面形状は、非球面の深さをＸ、光軸からの高さをＨとして、数１式によって定義されるものとする。なお、Ａ、Ｂ、Ｃ及びＤは、それぞれ４次、６次、８次及び１０次の非球面係数である。
【００３９】
【数１】
2005164993.tif 000003
【００４０】
表１に図１に示す第１の実施の形態における光学系の各具体的数値を数値実施例１として示す。
【００４１】
【表１】
2005164993.tif 000004
【００４２】
数値実施例１において、第２面（対物光学系Ｇｏの第１レンズ群Ｇ１の観察者側の面）、第３面（対物光学系Ｇｏの第２レンズ群Ｇ２の物体側の面）、第４面（対物光学系Ｇｏの第２レンズ群Ｇ２の観察者側の面）、第５面（対物光学系Ｇｏの第３レンズ群Ｇ３の物体側の面）、第７面（対物光学系Ｇｏの第４レンズ群Ｇ４の物体側の面）、第８面（対物光学系Ｇｏの第４レンズ群Ｇ４の観察者側の面）及び第１５面（接眼光学系Ｇｅの観察者側の面）が非球面で形成されている。これら各面の非球面係数を表２に示す。
【００４３】
【表２】
2005164993.tif 000005
【００４４】
第１の実施の形態に係るファインダーにおいては対物光学系Ｇｏの第２レンズ群Ｇ２及び第３レンズ群Ｇ３を光軸上で移動させて変倍と変倍に伴う視度変化の補正を行う。従って、面間隔ｄ２（Ｄ２）、ｄ４（Ｄ４）及びｄ６（Ｄ６）は可変である。そこで、数値実施例１における広角端、中間焦点位置及び望遠端における各面間隔ｄ２、ｄ４及びｄ６の数値を表３に示す。
【００４５】
【表３】
2005164993.tif 000006
【００４６】
図２に広角端での、図３に中間焦点位置での、図４に望遠端での球面収差図、非点収差図及び歪曲収差図を示す。なお、球面収差図において、実線はｄ線、破線はＣ線、一点鎖線はＦ線における値を示すものであり、非点収差図において、実線はサジタル像面、破線はタンジェンシャル像面における値を示すものである。
【００４７】
表４に図５に示す第２の実施の形態における光学系の各具体的数値を数値実施例２として示す。
【００４８】
【表４】
2005164993.tif 000007
【００４９】
数値実施例２において、第２面（対物光学系Ｇｏの第１レンズ群Ｇ１の観察者側の面）、第３面（対物光学系Ｇｏの第２レンズ群Ｇ２の物体側の面）、第４面（対物光学系Ｇｏの第２レンズ群Ｇ２の観察者側の面）、第５面（対物光学系Ｇｏの第３レンズ群Ｇ３の物体側の面）、第７面（対物光学系Ｇｏの第４レンズ群Ｇ４の物体側の面）、第８面（対物光学系Ｇｏの第４レンズ群Ｇ４の観察者側の面）及び第１５面（接眼光学系Ｇｅの観察者側の面）が非球面で形成されている。これら各面の非球面係数を表５に示す。
【００５０】
【表５】
2005164993.tif 000008
【００５１】
第２の実施の形態に係るファインダーにおいては対物光学系Ｇｏの第２レンズ群Ｇ２及び第３レンズ群Ｇ３を光軸上で移動させて変倍と変倍に伴う視度変化の補正を行う。従って、面間隔ｄ２（Ｄ２）、ｄ４（Ｄ４）及びｄ６（Ｄ６）は可変である。そこで、数値実施例２における広角端、中間焦点位置及び望遠端における各面間隔ｄ２、ｄ４及びｄ６の数値を表６に示す。
【００５２】
【表６】
2005164993.tif 000009
【００５３】
図６に広角端での、図７に中間焦点位置での、図８に望遠端での球面収差図、非点収差図及び歪曲収差図を示す。なお、球面収差図において、実線はｄ線、破線はＣ線、一点鎖線はＦ線における値を示すものであり、非点収差図において、実線はサジタル像面、破線はタンジェンシャル像面における値を示すものである。
【００５４】
表７に図９に示す第３の実施の形態における光学系の各具体的数値を数値実施例３として示す。
【００５５】
【表７】
2005164993.tif 000010
【００５６】
数値実施例３において、第２面（対物光学系Ｇｏの第１レンズ群Ｇ１の観察者側の面）、第３面（対物光学系Ｇｏの第２レンズ群Ｇ２の物体側の面）、第４面（対物光学系Ｇｏの第２レンズ群Ｇ２の観察者側の面）、第５面（対物光学系Ｇｏの第３レンズ群Ｇ３の物体側の面）、第７面（対物光学系Ｇｏの第４レンズ群Ｇ４の物体側の面）、第８面（対物光学系Ｇｏの第４レンズ群Ｇ４の観察者側の面）及び第１５面（接眼光学系Ｇｅの観察者側の面）が非球面で形成されている。これら各面の非球面係数を表８に示す。
【００５７】
【表８】
2005164993.tif 000011
【００５８】
第３の実施の形態に係るファインダーにおいては対物光学系Ｇｏの第２レンズ群Ｇ２及び第３レンズ群Ｇ３を光軸上で移動させて変倍と変倍に伴う視度変化の補正を行う。従って、面間隔ｄ２（Ｄ２）、ｄ４（Ｄ４）及びｄ６（Ｄ６）は可変である。そこで、数値実施例３における広角端、中間焦点位置及び望遠端における各面間隔ｄ２、ｄ４及びｄ６の数値を表９に示す。
【００５９】
【表９】
2005164993.tif 000012
【００６０】
図１０に広角端での、図１１に中間焦点位置での、図１２に望遠端での球面収差図、非点収差図及び歪曲収差図を示す。なお、球面収差図において、実線はｄ線、破線はＣ線、一点鎖線はＦ線における値を示すものであり、非点収差図において、実線はサジタル像面、破線はタンジェンシャル像面における値を示すものである。
【００６１】
表１０に図１３に示す第４の実施の形態における光学系の各具体的数値を数値実施例４として示す。
【００６２】
【表１０】
2005164993.tif 000013
【００６３】
数値実施例４において、第２面（対物光学系Ｇｏの第１レンズ群Ｇ１の観察者側の面）、第３面（対物光学系Ｇｏの第２レンズ群Ｇ２の物体側の面）、第４面（対物光学系Ｇｏの第２レンズ群Ｇ２の観察者側の面）、第５面（対物光学系Ｇｏの第３レンズ群Ｇ３の物体側の面）、第７面（対物光学系Ｇｏの第４レンズ群Ｇ４の物体側の面）、第８面（対物光学系Ｇｏの第４レンズ群Ｇ４の観察者側の面）及び第１５面（接眼光学系Ｇｅの観察者側の面）が非球面で形成されている。これら各面の非球面係数を表１１に示す。
【００６４】
【表１１】
2005164993.tif 000014
【００６５】
第４の実施の形態に係るファインダーにおいては対物光学系Ｇｏの第２レンズ群Ｇ２及び第３レンズ群Ｇ３を光軸上で移動させて変倍と変倍に伴う視度変化の補正を行う。従って、面間隔ｄ２（Ｄ２）、ｄ４（Ｄ４）及びｄ６（Ｄ６）は可変である。そこで、数値実施例４における広角端、中間焦点位置及び望遠端における各面間隔ｄ２、ｄ４及びｄ６の数値を表１２に示す。
【００６６】
【表１２】
2005164993.tif 000015
【００６７】
図１４に広角端での、図１５に中間焦点位置での、図１６に望遠端での球面収差図、非点収差図及び歪曲収差図を示す。なお、球面収差図において、実線はｄ線、破線はＣ線、一点鎖線はＦ線における値を示すものであり、非点収差図において、実線はサジタル像面、破線はタンジェンシャル像面における値を示すものである。
【００６８】
表１３に図１７に示す第５の実施の形態における光学系の各具体的数値を数値実施例５として示す。
【００６９】
【表１３】
2005164993.tif 000016
【００７０】
数値実施例５において、第２面（対物光学系Ｇｏの第１レンズ群Ｇ１の観察者側の面）、第３面（対物光学系Ｇｏの第２レンズ群Ｇ２の物体側の面）、第４面（対物光学系Ｇｏの第２レンズ群Ｇ２の観察者側の面）、第５面（対物光学系Ｇｏの第３レンズ群Ｇ３の物体側の面）、第７面（対物光学系Ｇｏの第４レンズ群Ｇ４の物体側の面）、第８面（対物光学系Ｇｏの第４レンズ群Ｇ４の観察者側の面）及び第１５面（接眼光学系Ｇｅの観察者側の面）が非球面で形成されている。これら各面の非球面係数を表１４に示す。
【００７１】
【表１４】
2005164993.tif 000017
【００７２】
第５の実施の形態に係るファインダーにおいては対物光学系Ｇｏの第２レンズ群Ｇ２及び第３レンズ群Ｇ３を光軸上で移動させて変倍と変倍に伴う視度変化の補正を行う。従って、面間隔ｄ２（Ｄ２）、ｄ４（Ｄ４）及びｄ６（Ｄ６）は可変である。そこで、数値実施例５における広角端、中間焦点位置及び望遠端における各面間隔ｄ２、ｄ４及びｄ６の数値を表１５に示す。
【００７３】
【表１５】
2005164993.tif 000018
【００７４】
図１８に広角端での、図１９に中間焦点位置での、図２０に望遠端での球面収差図、非点収差図及び歪曲収差図を示す。なお、球面収差図において、実線はｄ線、破線はＣ線、一点鎖線はＦ線における値を示すものであり、非点収差図において、実線はサジタル像面、破線はタンジェンシャル像面における値を示すものである。
【００７５】
上記した各数値実施例における上記各条件式（１）、（２）及び（３）の数値データを表１６に示す。
【００７６】
【表１６】
2005164993.tif 000019
【００７７】
以上に記載したように、本発明によれば、良好な光学性能を有し、短いレンズ全長と４倍を越える高変倍比を両立させた実像式変倍ファインダー及び該実像式変倍ファインダーを備えた撮像装置を得ることができる。
【００７８】
なお、上記した各実施の形態及び数値実施例に示した、具体的な形状及び構成並びに数値は、本発明の実施に際して行う具体化のほんの一例を示したものにすぎず、これらによって本発明の技術的範囲が限定的に解釈されることがあってはならないものである。
【産業上の利用可能性】
【００７９】
４倍以上の高変倍比を有するズームレンズを備え小型化が要求されるカメラのファインダーとして適用して好適である。
【図面の簡単な説明】
【００８０】
【図１】図２乃至図４と共に本発明実像式変倍ファインダーの第１の実施の形態を示すものであり、本図は光学系の構成を示す図である。
【図２】広角端における球面収差、非点収差及び歪曲収差を示す図である。
【図３】中間焦点位置における球面収差、非点収差及び歪曲収差を示す図である。
【図４】望遠端における球面収差、非点収差及び歪曲収差を示す図である。
【図５】図６乃至図８と共に本発明実像式変倍ファインダーの第２の実施の形態を示すものであり、本図は光学系の構成を示す図である。
【図６】広角端における球面収差、非点収差及び歪曲収差を示す図である。
【図７】中間焦点位置における球面収差、非点収差及び歪曲収差を示す図である。
【図８】望遠端における球面収差、非点収差及び歪曲収差を示す図である。
【図９】図１０乃至図１２と共に本発明実像式変倍ファインダーの第３の実施の形態を示すものであり、本図は光学系の構成を示す図である。
【図１０】広角端における球面収差、非点収差及び歪曲収差を示す図である。
【図１１】中間焦点位置における球面収差、非点収差及び歪曲収差を示す図である。
【図１２】望遠端における球面収差、非点収差及び歪曲収差を示す図である。
【図１３】図１４乃至図１６と共に本発明実像式変倍ファインダーの第４の実施の形態を示すものであり、本図は光学系の構成を示す図である。
【図１４】広角端における球面収差、非点収差及び歪曲収差を示す図である。
【図１５】中間焦点位置における球面収差、非点収差及び歪曲収差を示す図である。
【図１６】望遠端における球面収差、非点収差及び歪曲収差を示す図である。
【図１７】図１８乃至図１９と共に本発明実像式変倍ファインダーの第５の実施の形態を示すものであり、本図は光学系の構成を示す図である。
【図１８】広角端における球面収差、非点収差及び歪曲収差を示す図である。
【図１９】中間焦点位置における球面収差、非点収差及び歪曲収差を示す図である。
【図２０】望遠端における球面収差、非点収差及び歪曲収差を示す図である。
【図２１】本発明にかかる実像式変倍ファインダーの具体的適用例を示す一部切欠斜視図である。
【符号の説明】
【００８１】
Ｇｏ…対物光学系、Ｇｒ…反転光学系、Ｇｅ…接眼光学系、Ｇ１…第１レンズ群、Ｇ２…第２レンズ群、Ｇ３…第３レンズ群、Ｇ４…第４レンズ群
【図１】
2005164993.tif 000020
【図２】
2005164993.tif 000021
【図３】
2005164993.tif 000022
【図４】
2005164993.tif 000023
【図５】
2005164993.tif 000024
【図６】
2005164993.tif 000025
【図７】
2005164993.tif 000026
【図８】
2005164993.tif 000027
【図９】
2005164993.tif 000028
【図１０】
2005164993.tif 000029
【図１１】
2005164993.tif 000030
【図１２】
2005164993.tif 000031
【図１３】
2005164993.tif 000032
【図１４】
2005164993.tif 000033
【図１５】
2005164993.tif 000034
【図１６】
2005164993.tif 000035
【図１７】
2005164993.tif 000036
【図１８】
2005164993.tif 000037
【図１９】
2005164993.tif 000038
【図２０】
2005164993.tif 000039
【図２１】
2005164993.tif 000040